【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
ユーザーがマニュアル操作によってデータを入力し、該入力データを後記データ処理手段へ送信する入力手段と；
後記データ処理手段からデジタル信号を受信し、インターネットプロトコルに準拠した無線信号に変換して送信するとともに、インターネットプロトコルに準拠した無線信号を受信し、デジタル信号に変換の上、後記データ処理手段に送信する無線通信手段と；
後記データ処理手段を動作させるプログラムと後記データ処理手段で処理可能なデータファイルとを格納する記憶手段と；
前記入力手段から受信した入力データと前記記憶手段に格納されたプログラムに従い、前記無線通信手段から受信したデジタル信号をリアルタイムで処理することによって、及び／又は、前記デジタル信号を自らが処理可能なデータファイルとして前記記憶手段に一旦格納し、その後読み出した上で処理することによって、デジタル表示信号を生成して後記ディスプレイ制御手段へ送信するデータ処理手段と；
画面を構成する各々の画素が駆動されることにより画像を表示するディスプレイパネルと、前記データ処理手段から受信したデジタル表示信号に基づき前記ディスプレイパネルの各々の画素を駆動するディスプレイ制御手段とから構成されるディスプレイ手段と；
外部ディスプレイ手段を備えるか、又は、外部ディスプレイ手段を接続するかする周辺装置が接続され、該周辺装置に対して、前記データ処理手段から受信したデジタル表示信号に基づき、外部表示信号を送信するインターフェース手段と；
を備えた上で、
前記無線通信手段と前記データ処理手段とが相俟って、インターネットに接続したウェブサーバから画像データを取得する機能を実現し、
前記データ処理手段は、前記入力手段から受信した入力データと前記記憶手段に格納されたプログラムに従い、前記ウェブサーバから取得した画像データをリアルタイムで処理することによって、及び／又は、前記画像データを自らが処理可能な画像データファイルとして前記記憶手段に一旦格納し、その後読み出した上で処理することによって、デジタル表示信号を生成して前記ディスプレイ制御手段へ送信する機能を有する、
携帯情報通信装置であって、
前記データ処理手段は、下記の（１Ａ）〜（３Ａ）の少なくともいずれか一つの機能を有し、
前記インターフェース手段は、前記データ処理手段から受信した「解像度が前記ディスプレイパネルの画面解像度より大きい画像（以下、高解像度画像と略記する）」のデジタル表示信号に基づき、高解像度画像の外部表示信号を送信する機能を有する、
ことを特徴とする携帯情報通信装置。
（１Ａ）前記画像データ又は前記画像データファイルの本来解像度が前記ディスプレイパネルの画面解像度より大きい場合に、「前記画像データ又は前記画像データファイルの本来画像」のデジタル表示信号を生成し、前記インターフェース手段へ送信する機能
（２Ａ）前記画像データ又は前記画像データファイルの本来解像度が前記ディスプレイパネルの画面解像度より大きい場合に、「前記画像データ又は前記画像データファイルの本来画像から画素が間引かれているが、解像度は前記ディスプレイパネルの画面解像度より大きい画像」のデジタル表示信号を生成し、前記インターフェース手段へ送信する機能
（３Ａ）前記画像データ又は前記画像データファイルの本来解像度が前記ディスプレイパネルの画面解像度を上回らない場合に、「前記画像データ又は前記画像データファイルの本来画像に画素を補間することによって、解像度を前記ディスプレイパネルの画面解像度より大きくした画像」のデジタル表示信号を生成し、前記インターフェース手段へ送信する機能
【請求項２】
ユーザーがマニュアル操作によってデータを入力し、該入力データを後記データ処理手段へ送信する入力手段と；
アナログテレビ放送信号、デジタルテレビ放送信号、携帯テレビ電話信号のうちの少なくとも１つの無線信号（以下、テレビ信号と略記する）を受信し、デジタル動画信号に変換の上、前記データ処理手段に送信する無線通信手段と；
後記データ処理手段を動作させるプログラムと後記データ処理手段で処理可能なデータファイルとを格納する記憶手段と；
前記入力手段から受信した入力データと前記記憶手段に格納されたプログラムに従い、前記無線通信手段から受信したデジタル動画信号をリアルタイムで処理することによって、及び／又は、前記デジタル動画信号を自らが処理可能な画像データファイルとして前記記憶手段に一旦格納し、その後読み出した上で処理することによって、デジタル表示信号を生成して後記ディスプレイ制御手段へ送信するデータ処理手段と；
画面を構成する各々の画素が駆動されることにより画像を表示するディスプレイパネルと、前記データ処理手段から受信したデジタル表示信号に基づき前記ディスプレイパネルの各々の画素を駆動するディスプレイ制御手段とから構成されるディスプレイ手段と；
外部ディスプレイ手段を備えるか、又は、外部ディスプレイ手段を接続するかする周辺装置が接続され、該周辺装置に対して、前記データ処理手段から受信したデジタル表示信号に基づき、外部表示信号を送信するインターフェース手段と；
を備える携帯情報通信装置であって、
前記データ処理手段は、下記の（１Ｂ）〜（３Ｂ）の少なくともいずれか一つの機能を有し、
前記インターフェース手段は、前記データ処理手段から受信した「解像度が前記ディスプレイパネルの画面解像度より大きい画像（以下、高解像度画像と略記する）」のデジタル表示信号に基づき、高解像度画像の外部表示信号を送信する機能を有する、
ことを特徴とする携帯情報通信装置。
（１Ｂ）前記テレビ信号又は前記画像データファイルの本来解像度が前記ディスプレイパネルの画面解像度より大きい場合に、「前記テレビ信号又は前記画像データファイルの本来画像」のデジタル表示信号を生成し、前記インターフェース手段へ送信する機能
（２Ｂ）前記テレビ信号又は前記画像データファイルの本来解像度が前記ディスプレイパネルの画面解像度より大きい場合に、「前記テレビ信号又は前記画像データファイルの本来画像から画素が間引かれているが、解像度は前記ディスプレイパネルの画面解像度より大きい画像」のデジタル表示信号を生成し、前記インターフェース手段へ送信する機能
（３Ｂ）前記テレビ信号又は前記画像データファイルの本来解像度が前記ディスプレイパネルの画面解像度を上回らない場合に、「前記テレビ信号又は前記画像データファイルの本来画像に画素を補間することによって、解像度を前記ディスプレイパネルの画面解像度より大きくした画像」のデジタル表示信号を生成し、前記インターフェース手段へ送信する機能
【請求項３】
ユーザーがマニュアル操作によってデータを入力し、該入力データを後記データ処理手段へ送信する入力手段と；
被写体からの撮像光を受光してＣＣＤ、ＣＭＯＳセンサー等の撮像素子によって画素ごとの電気信号（以下、撮像電気信号と略記する）に変換し、該電気信号をさらにデジタル動画信号に変換の上、後記データ処理手段に送信する撮像手段と；
後記データ処理手段を動作させるプログラムと後記データ処理手段で処理可能なデータファイルとを格納する記憶手段と；
前記入力手段から受信した入力データと前記記憶手段に格納されたプログラムに従い、前記撮像手段から受信したデジタル動画信号をリアルタイムで処理することによって、及び／又は、前記デジタル動画信号を自らが処理可能な画像データファイルとして前記記憶手段に一旦格納し、その後読み出した上で処理することによって、デジタル表示信号を生成して後記ディスプレイ制御手段へ送信するデータ処理手段と；
画面を構成する各々の画素が駆動されることにより画像を表示するディスプレイパネルと、前記データ処理手段から受信したデジタル表示信号に基づき前記ディスプレイパネルの各々の画素を駆動するディスプレイ制御手段とから構成されるディスプレイ手段と；
外部ディスプレイ手段を備えるか、又は、外部ディスプレイ手段を接続するかする周辺装置が接続され、該周辺装置に対して、前記データ処理手段から受信したデジタル表示信号に基づき、外部表示信号を送信するインターフェース手段と；
を備える携帯情報通信装置であって、
前記データ処理手段は、下記の（１Ｃ）〜（３Ｃ）の少なくともいずれか一つの機能を有し、
前記インターフェース手段は、前記データ処理手段から受信した「解像度が前記ディスプレイパネルの画面解像度より大きい画像（以下、高解像度画像と略記する）」のデジタル表示信号に基づき、高解像度画像の外部表示信号を送信する機能を有する、
ことを特徴とする携帯情報通信装置。
（１Ｃ）前記撮像電気信号又は前記画像データファイルの本来解像度が前記ディスプレイパネルの画面解像度より大きい場合に、「前記撮像電気信号又は前記画像データファイルの本来画像」のデジタル表示信号を生成し、前記インターフェース手段へ送信する機能
（２Ｃ）前記撮像電気信号又は前記画像データファイルの本来解像度が前記ディスプレイパネルの画面解像度より大きい場合に、「前記撮像電気信号又は前記画像データファイルの本来画像から画素が間引かれているが、解像度は前記ディスプレイパネルの画面解像度より大きい画像」のデジタル表示信号を生成し、前記インターフェース手段へ送信する機能
（３Ｃ）前記撮像電気信号又は前記画像データファイルの本来解像度が前記ディスプレイパネルの画面解像度を上回らない場合に、「前記撮像電気信号又は前記画像データファイルの本来画像に画素を補間することによって、解像度を前記ディスプレイパネルの画面解像度より大きくした画像」のデジタル表示信号を生成し、前記インターフェース手段へ送信する機能